(57)【要約】      （修正有）【課題】重複に利用することができ、ストローの衛生を確保することができ、環境保全に優しいストロー用保護スリーブを提供する。【解決手段】一端が閉鎖端１１であり、他端が開口端１２であり、その周壁には切り口１３が設けられ、切り口が設けられなく切り口に近接する箇所が連接段１４に形成され、連接段の幅はストロー用保護スリーブの直径よりも小さく、切り口の円弧長さはストロー用保護スリーブの周壁の円周長さの１／２を超え、閉鎖端には、装飾部１５が連接される。【選択図】図１
0003153807.tif 000002
【実用新案登録請求の範囲】
【請求項１】
一端が閉鎖端であり、他端が開口端であり、周壁には切り口が設けられ、前記切り口に近接する箇所が連接段に形成されることを特徴とするストロー用保護スリーブ。
【請求項２】
前記連接段の幅は前記ストロー用保護スリーブの直径よりも小さく、前記切り口の円弧長さは前記ストロー用保護スリーブの周壁の円周長さの１／２を超えることを特徴とする、請求項１に記載のストロー用保護スリーブ。
【請求項３】
前記閉鎖端には、装飾部が連接されることを特徴とする、請求項１に記載のストロー用保護スリーブ。
【考案の詳細な説明】
【技術分野】
【０００１】
本考案は、ストロー用保護スリーブに関し、特に、ストローの一端に嵌め設けられ、重複に利用可能であり、周壁には切り口が設けられ、ストローの衛生を確保でき、環境保全に優しいストロー用保護スリーブに関するものである。
【背景技術】
【０００２】
一般の飲料販売店は、飲料を売るときにストローが消費者に提供され、提供されるストローの包装方式は、多数のストローを、樹脂袋、又は樹脂製円筒に詰められ、しかし、どのような包装方式を採用しても、包装が開けられると、残るストローが外部に露出し大気と接触するので、ホコリなどがストローに付着し、そしてユーザがストローを取り出しているときには、ユーザの手がストローと直接に接触するので、手の汚れがストローを汚染する可能性があった。
【０００３】
また、缶詰またはビン詰の飲料と共に提供されるストローは、一つ一つ包装されるが、このような包装方式を採用すると、包装袋の使用量が増加し、且つ開けられた包装袋が勝手に捨てられる問題があった。
【０００４】
上記の問題を解決するために、ストローの一部を保護する保護スリーブが提案され、このような保護スリーブ付きのストローは、ストロー主体と、保護スリーブと、を含み、前記保護スリーブは固定ユニットを有し、前記固定ユニットが前記保護スリーブの末端に配設され、これにより、前記保護スリーブが前記ストロー主体に固定され、ユーザが前記保護スリーブの先端を引っ張ると、前記ストロー主体の先端が遮蔽され、そうすると、前記ストロー主体が汚染されることを防止でき、そして前記保護スリーブが伸縮可能である。
【０００５】
しかし、前記保護スリーブは、その一端が前記ストロー主体に固定されるので、単独で重複に利用することができず、また、皺が付けられた前記保護スリーブを重複に利用したくても、前記保護スリーブの内部をよく清潔することができないので、衛生面の問題があった。
【考案の概要】
【考案が解決しようとする課題】
【０００６】
本考案の主な目的は、ストローの一端に嵌め設けられ、重複に利用可能であり、周壁には切り口が設けられ、ストローの衛生を確保でき、環境保全に優しいストロー用保護スリーブを提供することにある。
【課題を解決するための手段】
【０００７】
本考案の請求項１に記載のストロー用保護スリーブによると、一端が閉鎖端であり、他端が開口端であり、その周壁には切り口が設けられ、切り口に近接する箇所が連接段に形成されることを特徴とするストロー用保護スリーブである。
【０００８】
本考案の請求項２に記載のストロー用保護スリーブによると、連接段の幅はストロー用保護スリーブの直径よりも小さく、切り口の円弧長さはストロー用保護スリーブの周壁の円周長さの１／２を超える。
【０００９】
本考案の請求項３に記載のストロー用保護スリーブによると、閉鎖端には、装飾部が連接される。
【考案の効果】
【００１０】
本考案のストロー用保護スリーブによれば、次のような効果がある。
（１）ストロー用保護スリーブがストローの一端だけに嵌め設けられるので、保護スリーブを作製する原料の使用量を減少することができ、生産コストを減少することができる。
【００１１】
（２）ストロー用保護スリーブの周壁には、皺が付けられなく、ストロー用保護スリーブとストローが分離可能であるので、ストロー用保護スリーブは単独で重複に利用可能であり、ストロー用保護スリーブを充分に清潔することができる。
【００１２】
（３）ストロー用保護スリーブには、切り口が設けられ、前記切り口がストローの湾折箇所に対応するので、ストロー用保護スリーブは、直線型ストローに適用することができ、そして湾折可能型ストローに適用することもできる。
【図面の簡単な説明】
【００１３】
【図１】本考案のストロー用保護スリーブの斜視図である。
【図２】本考案のストロー用保護スリーブが直線型ストローに嵌め設けられた状態の斜視図である。
【図３】本考案のストロー用保護スリーブが直線型ストローに嵌め設けられた状態の側面図である。
【図４】本考案のストロー用保護スリーブが湾折可能型ストローに嵌め設けられた状態の斜視図である。
【図５】本考案のストロー用保護スリーブが湾折可能型ストローに嵌め設けられた状態の側面図である。
【図６】本考案のストロー用保護スリーブの別の実施形態の斜視図である。
【考案を実施するための形態】
【００１４】
以下、本考案の実施の形態を図面に基づいて説明する。
まず、図１及び図２を参照する。本考案のストロー用保護スリーブ１は、一端が閉鎖端１１であり、他端が開口端１２であり、図２に示すように、直線型ストロー２が開口端１２からストロー用保護スリーブ１に挿入することができ、且つストロー用保護スリーブ１の周壁には切り口１３が設けられ、切り口１３に近接するストロー用保護スリーブ１の周壁が連接段１４に形成され、連接段１４の幅はストロー用保護スリーブ１の直径Ｒよりも小さく、切り口１３の円弧長さはストロー用保護スリーブ１の周壁の円周長さの１／２を超える。
【００１５】
次に、図２及び図３を参照する。図２は本考案のストロー用保護スリーブ１が直線型ストロー２に嵌め設けられた状態の斜視図であり、図３は本考案のストロー用保護スリーブ１が直線型ストロー２に嵌め設けられた状態の側面図である。開口端１２から直線型ストロー２をストロー用保護スリーブ１に挿入すると、直線型ストロー２の一端がストロー用保護スリーブ１に嵌められ、直線型ストロー２によりジュースなどを吸上げたい場合には、直線型ストロー２からストロー用保護スリーブ１を直接に取外すだけで済むので、使用性が極めてよく、そしてストロー用保護スリーブ１を重複に使用することができる。
【００１６】
また、図４及び図５を参照する。図４は本考案のストロー用保護スリーブ１が湾折可能型ストロー３に嵌め設けられた状態の斜視図であり、図３は本考案のストロー用保護スリーブ１が湾折可能型ストロー３に嵌め設けられた状態の側面図である。開口端１２から湾折可能型ストロー３をストロー用保護スリーブ１に挿入して、湾折可能型ストロー３の湾折箇所にストロー用保護スリーブ１の切り口１３を合せると、切り口１３によりストロー用保護スリーブ１が湾折可能型ストロー３の湾折程度に湾折可能であり、且つ湾折可能型ストロー３の一端がストロー用保護スリーブ１に嵌められる。
【００１７】
本考案のストロー用保護スリーブ１には色が付けられたので、ユーザは色によって自分のストローを識別することができる。また、本考案のストロー用保護スリーブ１は、更に、閉鎖端１１には、装飾部１５が連接され、装飾部１５は、図１及び図６に示すように、色々な造形や色を有してもよく、そうすると、ユーザは装飾部１５によって自分のストローを識別することができ、そしてユーザは装飾部１５に識別マークを設けてもよい。
【符号の説明】
【００１８】
１：ストロー用保護スリーブ、２：直線型ストロー、３：湾折可能型ストロー、１１：閉鎖端、１２：開口端、１３：切り口、１４：連接段、１５：装飾部、Ｒ：直径。
【図１】
0003153807.tif 000003
【図２】
0003153807.tif 000004
【図３】
0003153807.tif 000005
【図４】
0003153807.tif 000006
【図５】
0003153807.tif 000007
【図６】
0003153807.tif 000008